(57)【要約】【課題】転送画像データの選択誤りの発生を低減することを目的とする。【解決手段】投影画像と、前記投影画像を再構成して得られるトモシンセシス画像と、トモシンセシス画像の属性と、を表示手段に表示させる表示制御手段と、トモシンセシス画像の選択指示を受け付ける受付手段と、選択指示に係るトモシンセシス画像を外部装置に送信する送信手段とを有し、表示制御手段は、属性として、投影画像を再構成する際に適用した再構成パラメータ及びトモシンセシス画像に施した編集処理に係る情報のうち少なくとも１つを表示する。【選択図】図３
2018000605.tif 000002
【特許請求の範囲】
【請求項１】
放射線の投影画像と、前記投影画像を再構成して得られるトモシンセシス画像と、前記トモシンセシス画像の属性と、を表示手段に表示させる表示制御手段と、
前記トモシンセシス画像の選択指示を受け付ける受付手段と、
前記選択指示に係るトモシンセシス画像を外部装置に送信する送信手段と
を有することを特徴とする情報処理システム。
【請求項２】
前記表示制御手段は、前記属性として、前記投影画像を再構成する際に適用した再構成パラメータ及び前記トモシンセシス画像に施した編集処理に係る情報のうち少なくとも１つを表示することを特徴とする請求項１に記載の情報処理システム。
【請求項３】
前記再構成パラメータは、再構成方式、再構成フィルタ、断層ピッチ、断層数、ノイズ抑制レベルのうち少なくとも１つを含むことを特徴とする請求項２に記載の情報処理システム。
【請求項４】
前記編集処理は、フレーム選択、断面表示、アノテーション付加、幾何変換、ウィンドウ幅の変更及びウィンドウレベルの変更のうち少なくとも１つを含むことを特徴とする請求項２に記載の情報処理システム。
【請求項５】
前記表示制御手段は、前記送信手段による送信対象として選択された投影画像の数及び送信対象として選択されたトモシンセシス画像の数のうち少なくとも１つをさらに表示することを特徴とする請求項１乃至４何れか１項に記載の情報処理システム。
【請求項６】
前記表示制御手段は、送信対象の情報のデータサイズをさらに表示することを特徴とする請求項１乃至５何れか１項に記載の情報処理システム。
【請求項７】
前記表示制御手段は、複数の前記トモシンセシス画像の間の関係を表示するよう制御することを特徴とする請求項１乃至６何れか１項に記載の情報処理システム。
【請求項８】
前記表示制御手段は、前記トモシンセシス画像と前記投影画像の間の関係を表示するよう制御することを特徴とする請求項１乃至７何れか１項に記載の情報処理システム。
【請求項９】
利用者による操作履歴を記憶手段に記録する記録手段をさらに有し、
前記表示制御手段は、前記操作履歴に基づいて前記関係を表示するよう制御することを特徴とする請求項７又は８に記載の情報処理システム。
【請求項１０】
前記表示制御手段は、転送条件のチェック結果を表示するよう制御することを特徴とする請求項１乃至９何れか１項に記載の情報処理システム。
【請求項１１】
情報処理システムが実行する情報処理方法であって、
投影画像と、前記投影画像を再構成して得られるトモシンセシス画像と、前記トモシンセシス画像の属性と、を表示手段に表示させる表示制御ステップと、
前記トモシンセシス画像の選択指示を受け付ける受付ステップと、
前記選択指示に係るトモシンセシス画像を外部装置に送信する送信ステップと
を含むことを特徴とする情報処理方法。
【請求項１２】
コンピュータを、
投影画像と、前記投影画像を再構成して得られるトモシンセシス画像と、前記トモシンセシス画像の属性と、を表示手段に表示させる表示制御手段と、
前記トモシンセシス画像の選択指示を受け付ける受付手段と、
前記選択指示に係るトモシンセシス画像を外部装置に送信する送信手段
として機能させるためのプログラム。
【発明の詳細な説明】
【技術分野】
【０００１】
本発明は、情報処理システム、情報処理方法及びプログラムに関する。
【背景技術】
【０００２】
近年、Ｘ線信号をデジタル画像に変換して出力するＦＰＤ（Ｆｌａｔ  Ｐａｎｅｌ  Ｄｅｔｅｃｔｏｒ）等のＸ線センサが普及している。ＦＰＤによるＸ線撮影では、静止画撮影のみならずマルチフレーム動画撮影も可能である。また、撮影により取得したマルチフレーム動画像に対して再構成処理を行うことで断層画像を生成するトモシンセシス撮影も近年普及しつつある。医療現場の典型的なワークフローでは、診療放射線技師がＸ線画像撮影システムを用いて撮影画像データを収集し、再構成等の画像処理を施して診断画像データを作成して、ＰＡＣＳ等の外部画像保存システムに転送する。その後に医師が、ＰＡＣＳ等の画像保存システムに接続したビューワを用いて、診断画像データを確認して診断を行う。
【０００３】
トモシンセシス撮影の場合には、再構成処理に与えるパラメータによって、得られる断層画像データの枚数や画質が異なる。そのため、診療放射線技師がパラメータを調整しながら、診断に適した断層画像データが得られるまで再構成を遡及的に繰り返し実施するケースがある。そのようなケースでは、作成した多数の画像データの中から、診断に適した画像データをＰＡＣＳへの転送対象として誤りなく選択する作業が要求される。
【０００４】
特許文献１には、診断に適していると判断した一部の断層画像データに品質管理タグを付加して、他の画像データと区別するための識別情報として利用する技術が開示されている。特許文献２には、再構成の処理過程毎に画像データをグループ化して表示することによって、異なる再構成処理から作成された画像データを区別する技術が開示されている。
【先行技術文献】
【特許文献】
【０００５】
【特許文献１】特開２００９−１１８２６号公報
【特許文献２】特表２０１０−５１００２８号公報
【発明の概要】
【発明が解決しようとする課題】
【０００６】
しかしながら、転送画像データの選択誤りが発生する場合があるという問題があった。
【０００７】
本発明はこのような問題点に鑑みなされたもので、転送画像データの選択誤りの発生を低減することを目的とする。
【課題を解決するための手段】
【０００８】
そこで、本発明は、情報処理装置であって、投影画像と、前記投影画像を再構成して得られるトモシンセシス画像と、前記トモシンセシス画像の属性と、を表示手段に表示させる表示制御手段と、前記トモシンセシス画像の選択指示を受け付ける受付手段と、前記選択指示に係るトモシンセシス画像を外部装置に送信する送信手段とを有することを特徴とする。
【発明の効果】
【０００９】
本発明によれば、転送画像データの選択誤りの発生を低減することができる。
【図面の簡単な説明】
【００１０】
【図１】Ｘ線撮影システムを示す図である。
【図２】制御部のハードウェア構成を示す図である。
【図３】制御部のソフトウェア構成を示す図である。
【図４】撮影制御処理を示すフローチャートである。
【図５】撮影画面の一例を示す図である。
【図６】再構成画面の一例を示す図である。
【図７】Ｗｉｎｄｏｗ調整画面の一例を示す図である。
【図８】再生処理画面の一例を示す図である。
【図９】転送確認画面の一例を示す図である。
【図１０】転送確認画面表示処理を示すフローチャートである。
【図１１】転送データ概要算出処理を示すフローチャートである。
【図１２】操作履歴情報の一例を示す図である。
【図１３】転送確認画面の一例を示す図である。
【図１４】第２の実施形態の他の例に係る転送確認画面を示す図である。
【図１５】リンクと説明文を抽出する抽出処理を示すフローチャートである。
【図１６】リンクと説明文の抽出結果の一例を示す図である。
【図１７】第３の実施形態に係る転送確認画面の一例を示す図である。
【図１８】チェックルール参照画面の一例を示す図である。
【図１９】転送チェック処理を示すフローチャートである。
【発明を実施するための形態】
【００１１】
以下、本発明の実施形態について図面に基づいて説明する。
【００１２】
（第１の実施形態）
図１は、本実施形態に係るＸ線撮影システムを示す図である。本実施形態においては、Ｘ線撮影システムとして、Ｘ線管と、被写体を透過したＸ線を検出して電気信号を生成するＦＰＤとを有する装置を例に説明する。ただし、Ｘ線ＣＴ装置等でも構わず、その種類によって本発明が限定されるものではない。Ｘ線撮影システム１０１は、患者に対してＸ線撮影（放射線撮影）を行い、放射線の投影画像である撮影画像の画像処理を行って、得られた診断画像を外部機器に転送する。Ｘ線撮影システム１０１は、Ｘ線発生部１０２、移動機構１０６１、カラム１０６２及び移動機構制御部１０６３を有している。Ｘ線撮影システム１０１はまた、Ｘ線照射スイッチ１０３、Ｘ線制御部１０４、撮影台１０５、Ｘ線検出器１０６、Ｘ線撮影制御装置１０７、操作部１０８及び表示部１０９を有している。なお、Ｘ線撮影システム１０１は、情報処理システムの一例である。
【００１３】
Ｘ線発生部１０２は、Ｘ線の照射を行う。また、Ｘ線発生部１０２は、Ｘ線の照射に伴い管電圧、管電流等の撮影実施条件や撮影角度、Ｘ線源移動距離等の位置情報をＸ線制御部１０４へ送信する。また、Ｘ線発生部１０２は、Ｘ線制御部１０４からデフォルト撮影条件、デフォルト位置情報を受信し、撮影準備処理を行う。
【００１４】
移動機構１０６１は、Ｘ線検出器１０６を被写体の体軸方向に沿って例えば直線的に移動させることができる。カラム１０６２は、Ｘ線発生部１０２を移動可能に支持する移動機構を備えており、Ｘ線発生部１０２を被写体の体軸方向に沿って弧を描くように移動させることができる。移動機構制御部１０６３は、Ｘ線検出器１０６の移動機構１０６１とカラム１０６２との移動を制御する。移動機構制御部１０６３は、移動機構１０６１及びカラム１０６２を連動させて移動させることが可能である。なおここで、移動機構１０６１及びカラム１０６２を連動させ、Ｘ線発生部１０２を第一の方向に、Ｘ線検出器１０６を第一の方向とは逆の方向に向かって移動させることにより、複数方向からの投影画像を得るトモシンセシス撮影が実現される。
【００１５】
また移動機構制御部１０６３は、Ｘ線制御部１０４と接続しており、Ｘ線が照射されたタイミング情報を受け取り、当該タイミングにおけるＸ線発生部１０２及びＸ線検出器１０６の位置情報をＸ線制御部１０４に出力する。移動機構制御部１０６３は、例えばパルス状のＸ線を断続的に照射する場合には、当該パルス状のＸ線の照射開始、照射終了あるいは照射中のあるタイミングにおけるＸ線発生部１０２及びＸ線検出器１０６の位置情報を出力する。
【００１６】
Ｘ線照射スイッチ１０３は、照射開始通知、照射終了通知をＸ線制御部１０４へ送信する。操作者がスイッチ押下すると、Ｘ線照射スイッチ１０３は、照射開始通知を送信する。また、操作者がスイッチを放すと、Ｘ線照射スイッチ１０３は、照射終了通知を送信する。Ｘ線照射スイッチ１０３が押下されると、Ｘ線発生部１０２及びＸ線検出器１０６は移動しつつ一連の投影画像の撮影が行われる。
【００１７】
Ｘ線制御部１０４は、Ｘ線発生部１０２、Ｘ線照射スイッチ１０３、Ｘ線撮影制御装置１０７と接続され、Ｘ線の照射開始と照射終了の制御及び撮影実施条件や位置情報の送信を行う。また、Ｘ線制御部１０４は、Ｘ線撮影制御装置１０７より撮影条件、位置情報を受信し、Ｘ線発生部１０２へ通知する。
【００１８】
撮影台１０５は、被写体を載せるための架台である。撮影台１０５の天板の直下にはＸ線検出器１０６を天板に沿う方向に移動させるＸ線検出器１０６の移動機構１０６１を有する。Ｘ線検出器１０６は複数の光電変換素子が行列上に配置されたＸ線センサを有しており、被写体を透過したＸ線を検出し、Ｘ線画像データへ変換する。複数の光電変換素子の離散的な二次元平面的配列によりＸ線検出領域及びＸ線検出面が定義される。Ｘ線検出面は、Ｘ線検出器１０６の一面に沿う方向であり、望ましくは上面と略平行である。Ｘ線検出器１０６は、撮影台の天板と略平行に配置され、かつ、Ｘ線検出器は天板と略平行に移動するため、Ｘ線検出面に沿ってＸ線検出器１０６が移動する。
【００１９】
またＸ線検出器１０６は、Ｘ線撮影制御装置１０７と接続され、Ｘ線画像データを読み取りエリアやビニングサイズ等の撮影実施情報とＸ線検出器移動距離等の位置情報と共にＸ線撮影制御装置１０７へ送信する。また、Ｘ線検出器１０６は、Ｘ線撮影制御装置１０７よりデフォルト位置情報を受信し、撮影準備処理を行う。Ｘ線画像データ、撮影実施及び位置情報の送信は、Ｘ線撮影制御装置１０７と接続されたケーブルによる有線通信、あるいは無線通信を用いて行われる。なお、Ｘ線撮影制御装置１０７は、Ｘ線検出器１０６の位置情報を、移動機構制御部１０６３を介してＸ線制御部１０４から受信することとしてもよい。
【００２０】
Ｘ線撮影制御装置１０７は、Ｘ線撮影システム１０１を統合的に制御する制御装置である。Ｘ線撮影制御装置１０７は、Ｘ線制御部１０４、Ｘ線検出器１０６と連携したＸ線撮影、再構成処理、階調処理等の画像処理、Ｘ線撮影を含む検査の実施、操作部１０８、表示部１０９への入出力、ネットワーク１１３を介した外部装置との送受信等を制御する。Ｘ線撮影制御装置１０７は、画像処理部１１０、制御部１１１、通信回路１１２を有している。
【００２１】
Ｘ線撮影制御装置１０７は、Ｘ線発生部１０２とＸ線検出器１０６とを用い、被写体に対して複数の異なる角度からＸ線を照射して得られる投影画像からトモシンセシス画像を得るトモシンセシス撮影の制御方法を実行する。Ｘ線撮影制御装置１０７は、Ｘ線制御部１０４及びＸ線検出器１０６と接続し、Ｘ線撮影により得られる投影画像と投影画像を得た際のＸ線検出器１０６及びＸ線発生部１０２の位置情報とを取得し、画像処理部１１０を駆動する。
【００２２】
画像処理部１１０は、受信したＸ線画像データに対する階調処理、ノイズ低減処理等の画像処理を実施する。また、画像処理部１１０は、Ｘ線画像データと位置情報を使用して再構成処理を行うことにより再構成画像を生成する。再構成により得られた画像は表示部１０９に表示される。ここで、トモシンセシス撮影により得られる投影画像から再構成される画像を特にトモシンセシス画像と呼ぶ。トモシンセシス画像は、三次元のボリュームデータ、あるいはボリュームデータから生成される二次元断層画像のいずれかである。二次元断層画像は、撮影台の座標系と断面の位置関係の観点から、コロナル画像、オブリーク画像、サジタル画像、アキシャル画像に分類される。
【００２３】
制御部１１１は、検査実施及び撮影実施に関わる制御、あるいは保留検査、終了検査の実施情報やＸ線画像データの保存・読み出しを行う。通信回路１１２は、通信Ｉ／Ｆを介して、Ｘ線制御部１０４とＸ線検出器１０６へＸ線照射準備要求、Ｘ線照射準備キャンセル要求のほか、蓄積時間、ビニング条件、フレームレート等の種々の駆動条件を送信する。また、通信回路１１２は、Ｘ線制御部１０４とＸ線検出器１０６からＸ線画像データ、撮影実施情報、位置情報を受信する。また、通信回路１１２は、ネットワーク１１３を介して、検査要求情報の受信、検査実施情報の送信、Ｘ線画像データやトモシンセシス画像データの出力を行う。
【００２４】
Ｘ線撮影制御装置１０７は、ネットワーク１１３を介してＨＩＳ／ＲＩＳ１１４やＰＡＣＳ１１５、Ｖｉｅｗｅｒ１１６、プリンタ１１７と接続される。ＨＩＳ／ＲＩＳ１１４は、放射線科における患者情報や検査要求情報等の情報を管理する病院内／放射線科情報管理システムである。ＰＡＣＳ１１５は、画像保存を主目的としたサーバーである。Ｖｉｅｗｅｒ１１６は、ＰＡＣＳ１１５と接続され、主に高精細モニタを用いてＸ線撮影システム１０１で撮影した画像の検像作業や詳細な後処理、診断作業を行う。プリンタ１１７は、Ｘ線画像データやトモシンセシス画像データをプリント出力する。
【００２５】
図２は、制御部１１１のハードウェア構成を示す図である。制御部１１１は、ＣＰＵ２０１、ＲＯＭ２０２、ＲＡＭ２０３、記憶装置２０４、入力検出部２０５、通信インターフェース２０６、グラフィックスボード２０７及びディスプレイドライバ２０８を有している。これらは、データバス等のシステムバスを介して互いに接続されている。
【００２６】
ＣＰＵ２０１は、制御部１１１全体の制御を行うものであり、ＲＯＭ２０２に格納されている命令プログラムを実行することで制御部１１１の制御を実施する。また、ＣＰＵ２０１は、ディスプレイドライバ２０８を介した表示部１０９への出力制御、及び入力検出部２０５を介した操作部１０８の入力制御を行う。ＲＡＭ２０３は、ＣＰＵ２０１が命令プログラムによる制御を行う際に作業用の記憶領域を提供するものである。記憶装置２０４は、Ｘ線画像データ等各種データを保存する、ＨＤＤやＳＳＤ等の補助記憶装置である。
【００２７】
通信インターフェース２０６は、通信回路１１２との接続を行う通信インターフェースである。通信インターフェース２０６により通信回路１１２を介して、制御部１１１とＸ線制御部１０４、Ｘ線検出器１０６、ネットワーク１１３との間でデータの送受信を行う。グラフィックスボード２０７は、ＧＰＵ及びビデオメモリを含む汎用グラフィックスボードである。Ｘ線撮影システム１０１は、画像処理部１１０の実行時にグラフィックスボード２０７を利用する。グラフィックスボード２０７は主に断層画像の再構成処理や画像処理を行う際に使用される。ディスプレイドライバ２０８は、制御部１１１から表示部１０９を制御するためのソフトウェアである。
【００２８】
なお、後述する制御部１１１の機能や処理は、ＣＰＵ２０１がＲＯＭ２０２又は記憶装置２０４に格納されているプログラムを読み出し、このプログラムを実行することにより実現されるものである。
【００２９】
図３は、制御部１１１のソフトウェア構成を示す図である。制御部１１１は、撮影手技情報保存部３０１、検査情報保存部３０２、撮影制御部３０３、再構成制御部３０４、転送制御部３０５及び検査オーダ取得部３０６を有している。撮影手技情報保存部３０１は、撮影手技情報の保存、更新、削除、検索を行う。撮影手技情報とは、撮影部位や撮影方向等撮影手技を特定するための情報、撮影条件、画像処理パラメータ、再構成パラメータ、ストレージ転送設定、プリント出力設定等撮影実施から後処理、画像出力設定まで撮影手技毎に設定可能な項目である。検査情報保存部３０２は、実施予定あるいは実施済みの検査に関する検査情報の登録、更新、削除、検索を行う。検査とは、複数の撮影単位を包含する概念である。検査情報は各々の検査の指示内容（オーダ）と検査結果であり、患者情報、それぞれの検査で実施する撮影手技情報、投影画像データ、トモシンセシス画像データ、トモシンセシス画像に対して適用する編集処理の内容、各画像データの転送選択結果、を含む。
【００３０】
検査オーダ取得部３０６は、検査オーダを取得する処理を行う。検査オーダの取得方法には、ＲＩＳ等の外部システムからネットワークを介して取得する方法と、Ｘ線撮影システム１０１の利用者が操作部１０８を介して手動でオーダを入力する方法がある。撮影制御部３０３は、検査対象のオーダで指定された撮影手技情報から撮影条件を抽出し、通信回路１１２を介してＸ線制御部１０４とＸ線検出器１０６を制御して、該撮影条件に基づいてトモシンセシスの投影画像の撮影を実施する。撮影制御部３０３は、Ｘ線撮影により得られる投影画像と投影画像を得た際の撮影実施情報を取得し、それらを検査情報保存部３０２に保存する。
【００３１】
再構成制御部３０４は、検査オーダで指定された画像処理パラメータと再構成パラメータに基づき、画像処理部１１０を制御して、撮影制御部３０３が生成した投影画像データに対して再構成画像処理を実行する。そして、再構成制御部３０４は、得られたトモシンセシス画像データと再構成パラメータの内容を表示部１０９の再構成画面に表示する。利用者は該画面で再構成の結果を確認し、画像処理パラメータを設定して再構成画像の調整を行うことができる。また利用者は、トモシンセシス画像の転送選択を行うことができる。再構成制御部３０４は、トモシンセシス画像データと再構成パラメータの内容、転送選択の結果を検査情報保存部３０２に保存する。
【００３２】
転送制御部３０５は、検査情報保存部３０２から、検査で作成された画像情報、再構成パラメータの内容、転送選択結果を読み出し、表示部１０９の転送確認画面に表示する。さらに転送制御部３０５は、通信回路１１２を通じてＰＡＣＳ１１５に画像データを送信する。なお、他の例としては、再構成制御部３０４及び転送制御部３０５は、制御部１１１とは独立した再構成用のワークステーションに配置されるものとしてもよい。
【００３３】
図４は、制御部１１１によるトモシンセシス画像の撮影制御処理を示すフローチャートである。本撮影制御処理は、Ｘ線撮影システム１０１が検査オーダ取得部３０６を介して検査オーダを取得した後に実行される処理である。本撮影制御処理において、該検査も実施される。制御部１１１は、検査の開始時に、検査に含まれる複数の撮影手技の一覧を表示部１０９に表示する。利用者は操作部１０８を通じて実施する撮影手技を順に選択する。これに対応し、制御部１１１は、それぞれの撮影手技について、後述のＳ４０１〜Ｓ４０５の処理を実行する。
【００３４】
Ｓ４０１において、撮影制御部３０３は、複数の撮影手技の中から、利用者により選択された撮影手技を１つ選択し、選択した撮影手技に従い、トモシンセシスの投影画像の撮影が行われるように制御する。具体的には、撮影制御部３０３は、撮影手技情報から撮影条件を抽出し、通信回路１１２を介してＸ線制御部１０４とＸ線検出器１０６に該撮影条件を送信する。撮影条件には、例えば投影画像の撮影枚数、投影画像の撮影間隔、Ｘ線照射位置の範囲の情報、Ｘ線検出器１０６の駆動パラメータ等が含まれる。
【００３５】
Ｘ線制御部１０４及びＸ線検出器１０６は、受信した撮影条件に基づき、Ｘ線照射とＸ線検出の準備を行う。その後、利用者は被写体を撮影台１０５の上に配置し、中心位置（アイソセンタ位置）の設定、位置合わせ透視を行う。その後に、制御部１１１は、トモシンセシス投影画像の撮影を実行するよう制御する。撮影制御部３０３は、Ｘ線制御部１０４とＸ線検出器１０６から、投影画像と撮影実施情報を受信し、検査情報保存部３０２に保存する。撮影実施情報には、Ｘ線センサの読み取りエリアやビニングサイズ、Ｘ線検出器移動距離等の情報が含まれる。さらに撮影制御部３０３は、投影画像を表示部１０９の撮影画面に表示する。
【００３６】
次に、Ｓ４０２において、再構成制御部３０４は、検査オーダで指定されたデフォルトの再構成パラメータと画像処理パラメータを取得する。再構成パラメータには、再構成の方式（ＦＢＰやシフト加算等）、再構成フィルタの種類（Ｒａｍｐ、Ｃｈｅｓｌｅｒ等）が含まれる。再編成パラメータにはまた、再構成フィルタのパラメータ（カットオフ周波数等）、断層画像のスライスピッチとスライス数、ノイズ抑制レベル、等が含まれる。
【００３７】
次に、撮影画面において再構成の指示を受けると、再構成制御部３０４は、取得したデフォルトの再構成パラメータと画像処理パラメータを用いて、画像処理部１１０を制御し、投影画像に対して再構成画像処理を実施する。再構成画像処理の実施中、再構成制御部３０４は、表示部１０９に再構成画面を表示する。再構成画像処理が完了すると、再構成制御部３０４は、生成したトモシンセシス画像、再構成パラメータ、画像処理パラメータを検査情報保存部３０２に保存する。また再構成制御部３０４は、生成したトモシンセシス画像、再構成パラメータ、画像処理パラメータを表示部１０９の再構成画面に表示する。再構成制御部３０４は、利用者によって撮影画面への遷移が指示された場合は、表示部１０９に撮影画面を表示し、トモシンセシス画像の撮影画像サムネイル１０１１を、撮影画面に表示する。
【００３８】
次に、Ｓ４０３において、再構成制御部３０４は、トモシンセシス画像に対する後処理を行う。トモシンセシス画像への後処理には、画像の編集処理、再撮影処理、再構成の追加処理、写損処理が含まれる。画像の編集処理が要求された場合には、再構成制御部３０４は、要求された編集処理の内容を検査情報保存部３０２に保存して、編集処理を実施し、その結果を表示部１０９の再構成画面に表示する。ある画像データについて写損処理が要求された場合には、再構成制御部３０４は、該画像データの転送選択結果を「ＯＦＦ」に変更し、検査情報保存部３０２に保存する。
【００３９】
再構成制御部３０４は、再構成の追加処理が要求された場合には（Ｓ４０４でＹＥＳ）、処理をＳ４０２へ進め、再び、再構成処理を実行する。その際に、再構成制御部３０４は、デフォルトの再構成パラメータと画像処理パラメータの代わりに、Ｓ４０３において利用者により指定された再構成パラメータと画像処理パラメータを用いて、再構成画像処理を行う。再構成制御部３０４は、再撮影処理が要求された場合には（Ｓ４０５でＹＥＳ）、処理をＳ４０１へ進める。この場合、制御部１１１は再び投影画像の撮影が実施されるよう制御する。複数の撮影手技それぞれに対するＳ４０１〜Ｓ４０５の繰り返し処理がすべて終了すると、制御部１１１は、処理をＳ４０６へ進める。Ｓ４０６以降の処理において、制御部１１１は、通信回路１１２を介して、ＰＡＣＳ１１５に対して転送処理を実行する。
【００４０】
Ｓ４０６において、転送制御部３０５は、表示部１０９に転送確認画面を表示する。転送確認画面には、検査に係る投影画像、トモシンセシス画像およびこれらの画像の情報と、転送選択結果が表示される。ここで、Ｓ４０６の処理は、表示制御処理の一例である。Ｓ４０６における詳細な処理及び転送確認画面については後述する。次に、転送制御部３０５は、転送処理の対象の検査から、撮影完了済みである撮影手技すべてを取得し、同一のプロトコルに含まれる全ての画像情報に対し、Ｓ４０７及びＳ４０８の処理を行う。
【００４１】
Ｓ４０７において、転送制御部３０５は、１つの画像情報を取得する。そして、取得した画像情報を処理対象の対象画像情報とし、対象画像情報の転送選択結果を確認する。転送制御部３０５は、転送選択結果が「ＯＮ」の場合、すなわち対象画像情報の選択指示を受け付けている場合には（Ｓ４０７でＹＥＳ）、処理をＳ４０８へ進め。転送制御部３０５は、転送選択結果が「ＯＮ」でない場合は（Ｓ４０７でＮＯ）、Ｓ４０８の処理を行うことなく、Ｓ４０７に戻り、未選択の画像情報を選択する。Ｓ４０８において、転送制御部３０５は、通信回路１１２を介してＰＡＣＳ１１５に対して、投影画像あるいはトモシンセシス画像を送信する（送信処理）。以上で、撮影制御処理が終了する。
【００４２】
図５は、Ｓ４０１において表示される撮影画面５０１の一例を示す図である。撮影画面５０１は、制御部１１１が表示部１０９に表示するよう制御する。撮影画面５０１には、画像表示領域５０２、ステータス表示領域５０３、患者情報表示領域５０７、検査情報領域５０８及び撮影手技表示領域５０９が設けられている。撮影画面５０１にはまた、シングルビューボタン５０４、マルチビューボタン５０５、フレームビューボタン５０６、患再構成ボタン１０、撮影画像サムネイル５１１及び撮影予定サムネイル５１２が表示されている。
【００４３】
撮影画面５０１にはまた、Ｗｉｎｄｏｗ  Ｌｅｖｅｌ編集欄５１３、Ｗｉｎｄｏｗ  Ｗｉｄｔｈ編集欄５１４、検査保留ボタン５１５、転送ボタン５１６及び検査終了ボタン５１７、が表示されている。撮影画面５０１にはまた、アノテーション表示ボタン５１８、右回転ボタン５１９、左回転ボタン５２０、左右反転ボタン５２１、上下反転ボタン５２２、白黒反転ボタン５２３、Ｌマークボタン５２４及びＲマークボタン５２５が表示されている。撮影画面５０１にはまた、切出ボタン５２６、マスクボタン５２７、再撮影ボタン５２８、写損ボタン５２９、Ｕｎｄｏボタン５３０、リセットボタン５３１が表示されている。
【００４４】
画像表示領域５０２には、静止画撮影後の撮影画像、あるいは再構成処理後のトモシンセシス画像がプレビュー表示される。動画撮影中は、画像表示領域５０２には、撮影画像がリアルタイムでプレビュー表示される。撮影後にプレビュー選択を切り替えた場合は、画像表示領域５０２には、プレビュー選択された撮影画像がプレビュー表示される。また、画像表示領域５０２には、設定に応じて患者情報、検査情報、照射条件等がアノテーション表示される。検査開始直後の初期状態では、画像表示領域５０２に画像は表示されず、図４を参照しつつ説明したS４０１においては撮影により得られた投影画像が表示される。
【００４５】
ステータス表示領域５０３は、Ｘ線制御部１０４やＸ線検出器１０６から通知されたステータスを表示する領域である。Ｘ線制御部１０４がＸ線照射不可あるいはＸ線検出器１０６がＸ線検出不可な場合、ステータス表示領域５０３には、「Ｎｏｔ  Ｒｅａｄｙ」が表示される。また、Ｘ線制御部１０４がＸ線照射可能及びＸ線検出器１０６がＸ線検出可能である場合は、ステータス表示領域５０３には、「Ｒｅａｄｙ」が表示される。
【００４６】
シングルビューボタン５０４は、画像表示領域５０２にプレビュー選択されている画像の１フレームを表示するシングルビューへ切り替えるボタンである。複数フレームの画像の場合、プレビュー表示中にキーボードやマウス操作によって別フレームの表示や動画再生も可能である。マルチビューボタン５０５は、画像表示領域５０２を格子状の複数表示領域に区切り、実施中の検査内で撮影された画像群を並列表示するマルチビューへ切り替えるボタンである。フレームビューボタン５０６は、画像表示領域５０２を格子状の複数表示領域に区切り、プレビュー選択されている動画のフレーム画像群を並列表示するフレームビューへ切り替えるボタンである。患者情報表示領域５０７は、患者名、患者ＩＤといった患者情報が表示される領域である。
【００４７】
検査情報領域５０８には、検査ＩＤや検査記述といった検査情報が表示される。また、撮影手技表示領域５０９に、検査で選択されている撮影手技が並べて表示される。撮影手技表示領域５０９には、再構成ボタン５１０、撮影画像サムネイル５１１及び撮影予定サムネイル５１２が含まれる。撮影手技表示領域５０９には、撮影手技名称等の撮影手技情報と、実施した全ての撮影画像サムネイル５１１が表示されている。検査開始直後の初期状態では、一度も撮影が行われていないため、撮影画像サムネイル５１１は表示されない。
【００４８】
再構成ボタン５１０は、プレビュー選択中の画像を含むトモシンセシス撮影手技に対して再構成処理の実施を指示するボタンである。再構成ボタン５１０は、トモシンセシス以外の撮影手技では表示されない。また、トモシンセシス撮影手技が複数表示されている場合は、プレビュー選択中の画像を含むトモシンセシス撮影手技以外は全てボタンが無効となる。利用者は、Ｓ４０３（図４）において、再構成ボタン５１０より指示を与えることで、一度再構成処理を行ったトモシンセシス撮影手技に対して、遡及的に再構成のやり直しを実施することが可能となる。
【００４９】
撮影画像サムネイル５１１は、撮影画像に対応したサムネイル画像と撮影種別マークを含む画像である。撮影種別マークは、静止画、透視、シネ、トモシンセシス画像の撮影種別を区別可能なマークである。例えば、シネは「Ｃ」、トモシンセシス画像は「Ｔ」となる。撮影画像サムネイル５１１を選択することでプレビュー表示が切り替わる。また、次回照射予定選択中の撮影手技表示領域５０９には、次回照射時にサムネイル追加が予定される箇所にブランク表示された撮影予定サムネイル５１２が表示される。照射予定選択状態を解除すると撮影予定サムネイル５１２は非表示となる。
【００５０】
Ｗｉｎｄｏｗ  Ｌｅｖｅｌ編集欄５１３及びＷｉｎｄｏｗ  Ｗｉｄｔｈ編集欄５１４は、プレビュー選択中の画像に対するウィンドウレベルとウィンドウ幅を編集するための入力欄である。編集ボックスの表示値を変更する、あるいは画像表示領域５０２上でマウスドラッグすることで編集がプレビュー表示中の画像に対して適用される。制御部１１１は、これらの入力欄への入力値等に応じてウィンドウレベル及びウィンドウ幅を編集する。
【００５１】
検査保留ボタン５１５は、実施中の検査の保留を指示するボタンである。検査保留ボタン５１５が押下されると、制御部１１１は検査保留処理を実施する。転送ボタン５１６は、実施中の検査に含まれる画像のＰＡＣＳ転送を指示するボタンである。転送ボタン５１６が押下されると、転送制御部３０５は転送確認画面を表示して、転送処理を実施する。検査終了ボタン５１７は、実施中の検査の終了を指示するボタンである。検査終了ボタン５１７が押下されると、制御部１１１は検査終了処理を実施する。
【００５２】
アノテーション表示ボタン５１８は、画像表示領域５０２上に表示されるアノテーションの表示、非表示を切り替えるボタンである。制御部１１１は、撮影画像及びトモシンセシス画像に対しアノテーションを付加、削除することができる。右回転ボタン５１９は、プレビュー表示中の撮影画像を右回転させるボタンである。左回転ボタン５２０は、プレビュー表示中の撮影画像を左回転させるボタンである。左右反転ボタン５２１は、プレビュー表示中の撮影画像を左右反転させるボタンである。上下反転ボタン５２２は、プレビュー表示中の撮影画像を上下反転させるボタンである。白黒反転ボタン５２３は、プレビュー表示中の撮影画像のＷｉｎｄｏｗ値を反転させるボタンである。制御部１１１は、これらのボタン操作に応じて、撮影画像を幾何変換することができる。なお、制御部１１１は、同様に、ボタン操作に応じて、トモシンセシス画像に対しても幾何変換を行うことができる。ここで、幾何変換は編集処理の一例である。
【００５３】
Ｌマークボタン５２４は、プレビュー表示中の撮影画像上に側性マーカー「Ｌ」を配置させるボタンである。Ｌマークボタン５２４はＯＮ／ＯＦＦ切り替え可能であり、ＯＮで「Ｌ」を配置し、ＯＦＦで「Ｌ」を削除する。Ｒマークボタン５２５は、プレビュー表示中の撮影画像上に側性マーカー「Ｒ」を配置させるボタンである。Ｒマークボタン５２５はＯＮ／ＯＦＦ切り替え可能であり、ＯＮで「Ｒ」を配置し、ＯＦＦで「Ｒ」を削除する。切出ボタン５２６は、プレビュー表示中の撮影画像に対する関心領域の切り出し設定を指示するボタンである。マスクボタン５２７は、プレビュー表示中の撮影画像に対するマスク処理を指示するボタンである。
【００５４】
再撮影ボタン５２８は、プレビュー選択中の画像を含む撮影手技に対して再撮影を指示するボタンである。ここで示す再撮影とは、再撮影を指示された画像に対して写損処理を実施し、同一撮影手技を新規で追加する処理を指す。写損ボタン５２９は、プレビュー選択中の画像に対して写損を指示するボタンである。写損処理が実施されると、画像情報に含まれる転送選択結果がＯＦＦに切り替えられる。Ｕｎｄｏボタン５３０は、プレビュー選択中の画像に対する処理の履歴を新しい順に戻すＵｎｄｏ処理を指示するボタンである。リセットボタン５３１は、プレビュー選択中の画像に対する処理を全て破棄し、撮影直後の状態に戻すリセット処理を指示するボタンである。
【００５５】
次に、Ｓ４０２、Ｓ４０３において表示される再構成画面について説明する。再構成画面は、制御部１１１が表示部１０９に表示するよう制御する。図６は、再構成画面６０１の一例を示す図である。再構成画面６０１には、画像表示領域６０２及びスライダー６０３が設けられている。再構成画面６０１にはまた、ツールバー６０４、コロナル断面ボタン６０５、オブリーク断面ボタン６０６及びフレームビューボタン６０７が表示されている。再構成画面６０１にはまた、再構成方式メニュー６０８、再構成フィルタタイプメニュー７０９、再構成フィルタＤＣ欄６１０、カットオフ周波数欄６１１、断層ピッチ欄６１２及びスライス枚数欄６１３が表示されている。再構成画面６０１にはまた、ノイズ低減欄６１４、再構成ボタン６１５及びデフォルト設定ボタン６１６が表示されている。再構成画面６０１にはまた、フレーム再生範囲つまみ６１７、Ｗｉｎｄｏｗ調整ボタン６１８、再生処理ボタン６１９、再構成キャンセルボタン６２０、再構成確定ボタン６２１及び３Ｄスライダー６２２が表示されている。
【００５６】
画像表示領域６０２には、再構成処理後のトモシンセシス画像がプレビュー表示される。また、再構成処理実施中は、画像表示領域６０２には、ユーザに再構成処理中であることを報知するプログレスバーが表示され、再構成処理完了と同時にトモシンセシス画像が表示される。スライダー６０３は、プレビュー表示中のトモシンセシス画像における表示中のフレーム画像の確認、フレーム画像の切り替えのためのユーザインタフェースである。トモシンセシス画像のプレビュー表示と同時にスライダー６０３の横の上端から下端までに、プレビュー表示中のトモシンセシス画像の全有効フレーム分のメモリが均等に表示される。ここで、有効フレーム分のみ指定可能に制御することにより、誤って無効フレームを表示してしまう可能性を減らしている。スライダー６０３上を選択あるいはドラッグすることで選択されたメモリに対応した番号のフレームが画像表示領域６０２に表示される。
【００５７】
ツールバー６０４には、プレビュー表示中のトモシンセシス画像に対する処理を指示するコントロールが配置される。配置されるコントロールは、撮影画面５０１における５１８〜５３１と同様である。コロナル断面ボタン６０５は、画像表示領域６０２に表示するトモシンセシス画像をコロナル断面で表示するよう指示するボタンである。当該ボタンは、図６の再構成画面６０１が表示された初期状態で選択可能状態とされ、かつ、オン状態（選択状態）とされている。オブリーク断面ボタン６０６は、画像表示領域６０２に表示するトモシンセシス画像をオブリーク断面で表示するよう指示するボタンである。フレームビューボタン６０７は、画像表示領域６０２を格子状の複数表示領域に区切り、プレビュー表示中のトモシンセシス画像のフレーム画像群を並列表示するフレームビューへ切り替えるボタンである。フレームビューボタン６０７は、オブリーク断面表示中は、無効となりフレームビュー表示不可能となる。
【００５８】
再構成方式メニュー６０８は、ＦＢＰ（Ｆｉｌｔｅｒｅｄ  Ｂａｃｋ  Ｐｒｏｊｅｃｔｉｏｎ）法やシフト加算法、逐次近似再構成法といった再構成方式を選択するコントロールである。再構成フィルタタイプメニュー６０９は、再構成処理を行う際に使用するフィルタタイプを選択するコントロールである。再構成フィルタＤＣ欄６１０は、再構成処理を行う際に使用するフィルタのＤＣパラメータを編集するコントロールである。カットオフ周波数欄６１１は、再構成処理を行う際に使用するフィルタのカットオフ周波数を編集するコントロールである。断層ピッチ欄６１２は、再構成処理を行う際のフレーム間の厚みを編集するコントロールである。スライス枚数欄６１３は、再構成処理を行う際の総フレーム数を編集するコントロールである。ノイズ低減欄６１４は、再構成処理を行う際にノイズ低減処理を適用するか否かを切り替えるコントロール、及び適用する際の影響度を編集するコントロールである。
【００５９】
再構成ボタン６１５は、再構成処理の実施を指示するボタンである。再構成ボタン６１５が押下された時点で入力されている再構成パラメータを使用して再度再構成が実施される。この時、プレビュー表示中のトモシンセシス画像と同じ投影画像が用いられる。デフォルト設定ボタン６１６は、プレビュー表示中のトモシンセシス撮影手技のデフォルト再構成パラメータの変更を指示するボタンである。デフォルト設定ボタン６１６が押下されると、Ｓ４０３（図４）において、再構成制御部３０４は処理中のトモシンセシス撮影手技のデフォルトの再構成パラメータを更新する。フレーム再生範囲つまみ６１７は、範囲指定往復再生時の再生範囲を指定するコントロールである。最小フレーム番号、中心フレーム番号、最大フレーム番号を指定するつまみで構成される。それぞれのつまみを移動することで、指定した最小フレーム番号から最大フレーム番号までの範囲が再生範囲として設定される。
【００６０】
Ｗｉｎｄｏｗ調整ボタン６１８は、Ｗｉｎｄｏｗ調整用コントロールの表示・非表示を切り替えるボタンである。Ｗｉｎｄｏｗ調整ボタン６１８をＯＮに切り替えると、３Ｄスライダー６２２の表示領域に、図７に示すＷｉｎｄｏｗ調整画面７０１が表示される。Ｗｉｎｄｏｗ調整ボタン６１８をＯＦＦに切り替えると、Ｗｉｎｄｏｗ調整画面７０１が非表示となり、３Ｄスライダー６２２が表示される。再生処理ボタン６１９は、再生処理用コントロールの表示・非表示を切り替えるボタンである。再生処理ボタン６１９をＯＮに切り替えると、３Ｄスライダー６２２の表示領域に、図８に示す再生処理画面８０１が表示される。再生処理ボタン６１９をＯＦＦに切り替えると、再生処理画面８０１が非表示となり、３Ｄスライダー６２２が表示される。
【００６１】
再構成キャンセルボタン６２０は、プレビュー中のトモシンセシス画像の破棄を指示するボタンである。再構成キャンセルボタン６２０が選択された場合、制御部１１１は、トモシンセシス画像及び画像情報を保存せずに、Ｓ４０２の処理を終了する。このとき画面表示は撮影画面５０１へ遷移する。撮影画面５０１では、再構成画面の表示前にプレビューされていた画像が継続してプレビュー選択される。再構成確定ボタン６２１は、プレビュー中のトモシンセシス画像の保存確定を指示するボタンである。再構成確定ボタン６２１が選択された場合、制御部１１１は、プレビュー中のトモシンセシス画像を記憶装置２０４に保存する。その後、Ｓ４０２の処理が完了する。そして、画面表示は撮影画面５０１へ遷移する。
【００６２】
３Ｄスライダー６２２は、生成したトモシンセシス画像のフレームを擬似的に３Ｄ表示し、表示フレーム（断面表示）の指定を行うコントロールである。３Ｄスライダー６２２上に、各トモシンセシス画像のフレームの位置関係を相対的に示した罫線が表示され、表示フレーム画像と同じフレーム番号の位置に縮小画像が表示される。３Ｄスライダー６２２上の罫線を選択する、あるいはマウスでドラッグすることで表示フレームを容易に切り替えることができる。ここで、３Ｄスライダー６２２上に表示される罫線は、トモシンセシス画像の有効フレーム分のみが表示される。また、断層ピッチやスライス枚数の編集に連動して、再構成処理後の各トモシンセシス画像のフレームの位置関係を現在の状態に重ねてプレビュー表示する。これにより、操作者が断層ピッチやスライス枚数を変更した際の厚みの変化を容易に把握することが可能となる。以上の構成となる再構成画面６０１が表示される。
【００６３】
図９は、Ｓ４０６（図４）において表示される転送確認画面９０１の一例を示す図である。転送確認画面９０１は、制御部１１１が表示部１０９に表示するよう制御する。転送確認画面９０１には、検査情報表示領域９０２、画像情報表示領域９０３、転送データ概要表示領域９０４が設けられている。さらに、転送確認画面９０１には、転送実行ボタン９０５及び転送キャンセルボタン９０６が表示されている。検査情報表示領域９０２には、実施中の検査のＩＤ、患者ＩＤ及び患者名が表示されている。画像情報表示領域９０３には、実施中の検査に含まれる画像情報、画像データを作成した際の再構成パラメータの内容、編集処理の内容、転送選択結果の対応付けがリスト形式で表示されている。転送データ概要表示領域９０４には、実施中の検査に含まれる画像データの中で、転送選択されている画像データについて、種別毎の数と、送信対象の情報のデータサイズの合計が表示される。
【００６４】
画像情報表示領域９０３のカラムについては、１カラムに対して画像情報に対応付けられる項目が１つ表示される。ここで、項目は属性の一例である。画像情報表示領域９０３のリスト部分については、１行に対して１つの画像情報が表示される。画像情報カラムには画像情報のＩＤと画像データに対応したサムネイルが表示される。サムネイル９１１は、図５に示したサムネイル５１１と同様に撮影種別マークを含んでいる。写損マーク９１２は、対象画像の転送選択結果が「ＯＦＦ」であることをアイコンで表示する。トモシンセシス画像情報のサムネイルがダブルクリックされると、転送制御部３０５は、画面表示を再構成画面６０１に遷移させ、対応するトモシンセシス画像データ、再構成パラメータ及び編集処理の情報を表示するよう制御する。ここで、再構成パラメータは、再構成方式、再構成フィルタ、断層ピッチ、断層数、ノイズ抑制レベルのうち少なくとも１つを含む。編集処理は、フレーム選択、断面表示、アノテーション付加、幾何変換、ウィンドウ幅の変更及びウィンドウレベルの変更のうち少なくとも１つを含み、編集処理に係る情報は、これら編集処理に係る情報である。
【００６５】
種別カラムには画像の種別が表示される。トモシンセシス撮影検査の場合、投影画像とトモシンセシス画像の何れかが種別カラムに表示される。転送選択カラムには、画像データの転送選択結果が表示される。再構成方式カラムには、画像データを作成した際の再構成方式が表示される。再構成フィルタカラムには、画像データを作成した際に用いた再構成フィルタが表示される。
【００６６】
スライスカラムには、画像データのスライス情報として、ピッチとスライス数が表示される。フレーム選択カラムには、転送するフレームの番号が表示される。データサイズカラムには、画像データのサイズが表示される。備考カラムには、Ｓ４０３（図４）において、トモシンセシス画像に対して適用した編集処理の内容が表示される。編集処理には、トモシンセシス画像のオブリーク形式での表示や、オブリーク角度の調整、アノテーションの付加等が含まれる。なお、図９には示していないが、画像情報表示領域９０３に、再構成フィルタのカットオフ周波数やフィルタＤＣ、ノイズ抑制レベルを表示するカラムを設けてもよい。
【００６７】
転送実行ボタン９０５は、転送処理の実行を指示するボタンである。転送実行ボタン９０５が押下された場合、転送制御部３０５はＳ４０８（図４）以降の処理を実行する。その後、Ｘ線撮影システム１０１は、画面表示を撮影画面５０１に遷移させる。転送キャンセルボタン９０６は、転送処理の破棄を指示するボタンである。転送キャンセルボタン９０６が押下された場合、転送制御部３０５は転送処理を中断し、撮影画面５０１に遷移する。以上の要素から構成される転送確認画面９０１が表示される。
【００６８】
転送確認画面９０１に画面遷移した直後の初期状態では、画像情報表示領域９０３のリスト部分は、画像データの作成日時の古い順、もしくは画像情報のＩＤの順番に表示される。利用者が、画像情報表示領域９０３のいずれかのカラム名の部分を、ダブルクリック等の操作によって指定すると、画像情報表示領域９０３のリスト部分は、該当するカラムの各行の値でソートして表示される。
【００６９】
転送確認画面９０１において、各画像情報の転送選択結果を変更することができる。利用者が、転送選択カラムの各行のセルを選択すると、図９に示すように、転送選択欄９２１が表示される。転送選択欄９２１には、転送選択の値「ＯＮ」と「ＯＦＦ」のドロップダウンリストが表示される。利用者が何れかの値を選択すると、転送制御部３０５は、選択指示を受け付け（受付処理）、指定値をセルに表示すると共に、検査情報保存部３０２に保存されている転送選択結果を指定値に変更する。さらに転送制御部３０５は、変更後の転送選択結果を用いて、実施中の検査の中で転送選択されている画像データの種別毎の数と、データの合計サイズを再計算して、転送データ概要表示領域９０４に表示する。そして転送制御部３０５は、転送選択の値「ＯＮ」が選択された場合には、写損マーク９１２を削除し、転送選択の値「ＯＦＦ」が選択された場合には、写損マーク９１２を表示する。
【００７０】
図１０は、図４を参照しつつ説明した、転送確認画面表示処理（Ｓ４０６）における詳細な処理を示すフローチャートである。まずＳ１００１において、転送制御部３０５は、実施中の検査のＩＤや患者情報と、検査で作成された画像情報、再構成パラメータの内容、トモシンセシス画像に対する編集処理の内容、転送選択結果を、検査情報保存部３０２から読み出す。次に、Ｓ１００２において、転送制御部３０５は、転送データ概要を算出する。転送データ概要の算出フローについては、図１１を参照しつつ後述する。
【００７１】
次に、Ｓ１００３において、転送制御部３０５は、Ｓ１００１において取得した検査ＩＤ及び患者情報を検査情報表示領域９０２に表示する。また、転送制御部３０５は、Ｓ１００１において取得した各画像情報について、サムネイル画像や、該画像情報を生成した際に用いた再構成パラメータの内容、トモシンセシス画像に対する編集処理の内容を、画像情報表示領域９０３の各行に表示する。転送制御部３０５は、転送選択が「ＯＦＦ」の画像情報については、写損マーク９１２を表示する。さらに、転送制御部３０５は、Ｓ１００２において算出した転送データ概要を、転送データ概要表示領域９０４に表示する。
【００７２】
次に、Ｓ１００４において、転送制御部３０５は、転送確認画面９０１で利用者からの指示入力を受け付ける。次に、Ｓ１００５において、転送制御部３０５は、転送選択の変更指示か否か判断を行う。転送制御部３０５は、転送選択の変更指示である場合には（Ｓ１００５でＹＥＳ）、処理をＳ１００２へ進め、再度、転送データ概要を算出する。一方、転送制御部３０５は、転送選択の変更指示でない場合には（Ｓ１００５でＮＯ）、処理をＳ１００６へ進める。
【００７３】
Ｓ１００６において、転送制御部３０５は、転送実行の指示か否か判断を行う。転送制御部３０５は、転送実行の指示の場合には（Ｓ１００６でＹＥＳ）、処理をＳ１００７へ進める。転送制御部３０５は、転送実行の指示でない場合、すなわち利用者からの指示入力が、転送キャンセルボタン９０６を押下したことによる転送処理の破棄の指示である場合には（Ｓ１００６でＮＯ）、処理をＳ１００８へ進める。Ｓ１００７において、転送制御部３０５は、表示画面を撮影画面５０１に遷移させ、その後処理をＳ４０７（図４）へ進める。一方、Ｓ１００８においては、転送制御部３０５は、表示画面を撮影画面５０１に遷移し、撮影制御処理を終了する。
【００７４】
図１１は、図１０を参照しつつ説明した、転送データ概要算出処理（Ｓ１１０２）における詳細な処理を示すフローチャートである。Ｓ１１０１において、転送制御部３０５は、投影画像数、トモシンセシス画像数、その他の画像数、合計サイズの値を初期値「０」に設定する。次に、検査に含まれるすべての画像情報に対し、Ｓ１１０２〜Ｓ１１０８の処理を行うことにより、投影画像数、トモシンセシス画像数、合計サイズを算出する。Ｓ１１０２においては、転送制御部３０５は、処理対象となる画像情報（以下、対象画像情報と称する）の転送選択結果が「ＯＮ」であるか否かを確認する。転送制御部３０５は、転送選択結果が「ＯＮ」の場合には（Ｓ１１０２でＹＥＳ）、処理をＳ１１０３へ進める。転送制御部３０５は、転送選択結果が「ＯＮ」でない場合には（Ｓ１１０２でＹＥＳ）、対象画像情報に対する処理を終了し、処理対象を次の画像情報に変更し、Ｓ１１０２の処理を行う。
【００７５】
Ｓ１１０３において、転送制御部３０５は、対象画像情報が投影画像の情報であるか否かを確認する。転送制御部３０５は、対象画像情報が投影画像の情報である場合には（Ｓ１１０３でＹＥＳ）、処理をＳ１１０４へ進める。転送制御部３０５は、対象画像情報が投影画像の情報でない場合には（Ｓ１１０３でＮＯ）、処理をＳ１１０５へ進める。Ｓ１１０４において、転送制御部３０５は、投影画像数に「１」を加算し、その後処理をＳ１１０８へ進める。
【００７６】
Ｓ１１０５において、転送制御部３０５は、対象画像情報がトモシンセシス画像の情報であるか否かを確認する。転送制御部３０５は、対象画像情報がトモシンセシス画像の情報である場合には（Ｓ１１０５でＹＥＳ）、処理をＳ１１０６へ進める。転送制御部３０５は、対象画像情報がトモシンセシス画像の情報でない場合、すなわち静止画一般撮影等の画像の情報であるには（Ｓ１１０５でＮＯ）、処理をＳ１１０７へ進める。
【００７７】
Ｓ１１０６において、転送制御部３０５は、トモシンセシス画像数に「１」を加算し、その後処理をＳ１１０８へ進める。Ｓ１１０７においては、転送制御部３０５は、その他の画像数に「１」を加算し、その後処理をＳ１１０８へ進める。Ｓ１１０８において、転送制御部３０５は、合計サイズに対象画像情報の画像サイズを加算する。転送制御部３０５は、検査に含まれるすべての画像情報について、Ｓ１１０２〜Ｓ１１０８の処理を終了すると、Ｓ１００２（図１０）の処理を終了し、処理をＳ１００３（図１０）へ進める。
【００７８】
以上のように、本実施形態に係る制御部１１１は、診断に適したトモシンセシス画像の情報の選択作業に有用な情報を包括的に提供することができる。したがって、利用者は、画像情報表示領域９０３の一覧表示を参照して、遡及的に実施した複数の再構成の画像情報を比較しながら、転送選択の結果をチェックすることができる。また利用者は、転送データ概要表示領域９０４の表示を参照して、転送選択した画像データの概要を容易に確認することができる。さらに、上記に述べた確認作業において、利用者が転送選択の誤りを発見した場合には、前述したようにカラム１００９の各行のセルを操作することによって、転送選択結果を変更することができる。
【００７９】
再構成の処理条件や断層画像に対して施した操作内容は、前述のトモシンセシス撮影の転送画像データの選択作業を行う上で有用な情報である。これに対し、本実施形態の制御部１１１は、単に再構成で得られた断層画像データを表示するだけでなく、遡及的に実施した各々の再構成で与えた処理パラメータを比較可能な形で表示する。これにより、利用者による転送画像データの選択作業の正確性と効率が向上することが期待できる。
【００８０】
また、ある断層画像データに対して診療放射線技師が側性等のアノテーションを付加した場合、その診療放射線技師は該画像データが診断に適していると考えた可能性が高い。そこで、この場合、制御部１１１は利用者に対して、画像データにアノテーションが付加されている旨を注意喚起するための表示を行う。これにより、該画像データが選択されずに転送対象から漏れてしまう人的ミスの可能性が低減すると期待できる。
【００８１】
（第２の実施形態）
次に、第２の実施形態に係るＸ線撮影システム１０１について説明する。第２の実施形態に係る制御部１１１は、トモシンセシス撮影検査において再構成を遡及的に行う場合に、転送確認画面９０１の画像情報表示領域９０３に、トモシンセシス画像情報の依存関係を表示する。本実施形態においては、撮影画面５０１、再構成画面６０１、転送確認画面９０１の各画面における利用者の操作履歴情報が、図３の検査情報保存部３０２に保持される。そして、転送制御部３０５は、操作履歴情報を用いて、トモシンセシス画像情報の依存関係を表示する。
【００８２】
図１２は、操作履歴情報１２０１の一例を示す図である。操作履歴情報１２０１は、画面に対して行われた利用者の操作履歴を、時系列にリスト形式で保持する。カラム１２０２には操作ＩＤが保持される。カラム１２０３には、操作を実行した時点で表示されていた画面の名前が保持される。カラム１２０４には、操作の内容が保持される。カラム１２０５には、操作を実行した時点で表示されていた画像情報のＩＤが保持される。カラム１２０６には、操作によって生成された画像情報のＩＤが保持される。カラム１２０７には、操作によって画面遷移が発生した場合の、遷移先画面の名前が保持される。操作履歴情報１２０１は、再構成制御部３０４が例えば記憶装置２０４等の記憶部に記録する。
【００８３】
図１３は、第２の実施形態に係る転送確認画面１３１０の一例を示す図である。転送確認画面１３１０には、第１の実施形態において図９を参照しつつ説明した転送確認画面９０１と同様に、検査情報表示領域９０２、画像情報表示領域１３１１及び転送データ概要表示領域９０４が設けられている。また、転送確認画面１３１０には、転送実行ボタン９０５及び転送キャンセルボタン９０６が表示されている。
【００８４】
画像情報表示領域１３１１には、リスト中の各行の間に、トモシンセシス画像情報の依存関係を示すリンク１３０１、リンク１３０３及びリンク１３０５が表示されている。各リンク１３０１、１３０３、１３０５の終点はトモシンセシス画像情報を表し、リンクの始点は該トモシンセシス画像情報を生成する際の元となった画像情報を表している。さらに、画像情報表示領域１３１１には、各リンクに対して、終点のトモシンセシス画像情報を生成するために実施された操作の内容が、説明文１３０２、説明文１３０４、説明文１３０６として表示されている。
【００８５】
リンク１３０１と説明文１３０２は、撮影画像ＩＤ００１に再構成処理を施すことによって、トモシンセシス画像情報ＩＤ００２が生成されたことを表している。すなわち、リンク１３０１は、投影画像とトモシンセシス画像の間の関係を示している。リンク１３０３と説明文１３０４は、トモシンセシス画像情報ＩＤ００２の再構成フィルタを変更して再構成処理を実行した後に、オブリーク表示の操作を加えることによって、トモシンセシス画像情報ＩＤ００３が生成されたことを表している。リンク１３０５と説明文１３０６は、トモシンセシス画像情報ＩＤ００２の再構成方式を変更して再構成処理を実行した後に、側性マーカーを配置することによって、トモシンセシス画像情報ＩＤ００４が生成されたことを表している。すなわち、リンク１３０３、１３０５は、トモシンセシス画像とトモシンセシス画像の間の関係を示している。
【００８６】
図１４は、第２の実施形態の他の例に係る転送確認画面１４１０を示す図である。転送確認画面１４１０においては、画像情報はリスト形式に替えてツリー形式で表示される。画像情報表示領域１４１１において、実施中の検査に含まれる画像情報は、ノード１４０１、ノード１４０２、ノード１４０３、ノード１４０４として表示され、ノードの間にリンクと説明文が表示される。ノードは、階層的に表示され、リンクの始点ノードが上位に、リンクの終点ノードが下位に配置される。
【００８７】
なお、画像情報の表示形式は実施形態に限定されるものではない。例えば、画像情報はリスト形式及びツリー形式以外の方法で表示されてもよい。また、トモシンセシス画像情報の依存関係を表示する際に、リンクを有向線以外の方法で表示されてもよい。また、説明文をテキスト形式以外の方法で表示されてもよい。
【００８８】
第１の実施形態において図１０を参照しつつ説明したＳ１００３の処理において、上述のリンクと説明文の抽出が行われ、本実施形態に係る転送確認画面１３１０が表示される。図１５は、リンクと説明文を抽出する抽出処理を示すフローチャートである。まず、Ｓ１５０１において、転送制御部３０５は、検査情報保存部３０２から操作履歴情報１２０１をＲＡＭ２０３に読み込む。次に、検査に含まれるすべての画像情報に対し、Ｓ１５０２〜Ｓ１５１０の処理を行うことにより、各画像情報のリンクと説明文を特定する。
【００８９】
Ｓ１５０２において、転送制御部３０５は、処理対象の画像情報（対象画像情報）の画像情報ＩＤがトモシンセシス画像情報であるか否かを確認する。転送制御部３０５は、トモシンセシス画像情報の場合には（Ｓ１５０２でＹＥＳ）、処理をＳ１５０３へ進める。転送制御部３０５は、トモシンセシス画像情報でない場合には（Ｓ１５０２でＮＯ）、対象画像情報に対する処理を終了し、処理対象を次の画像情報に変更し、Ｓ１５０２の処理を行う。
【００９０】
Ｓ１５０３において、転送制御部３０５は、画像情報ＩＤの再構成確定指示を実行した操作ＯＰを抽出する。具体的には、転送制御部３０５は、ＲＡＭ２０３に配置された操作履歴情報１２０１を走査して、カラム１２０４の「操作内容」の値が「再構成確定指示部の押下」に等しく、かつカラム１２０５の「表示中の画像」の値がＩＤに等しい行を抽出する。例えばＩＤが「ＩＤ００３」の場合は、Ｓ１５０４において、カラム１２０２の「操作ＩＤ」の値が「ＯＰ５８４０」の行が、操作ＯＰとして抽出される。次に、Ｓ１５０４において、転送制御部３０５は、画像情報ＩＤの再構成指示を実行した操作ＯＰ'を抽出する。具体的には、転送制御部３０５は、Ｓ１５０３で求めた行を出発点として、操作履歴情報１２０１を時系列の逆順に走査して、カラム１２０４の「操作内容」の値が「再構成指示部の押下」に等しい最初の行を抽出する。例えば、画像情報ＩＤが「ＩＤ００３」の場合は、Ｓ１５０４において、カラム１２０２の「操作ＩＤ」の値が「ＯＰ５８３０」の行が、操作ＯＰ'として抽出される。
【００９１】
次に、Ｓ１５０５において、転送制御部３０５は、操作ＯＰ'のカラム１２０５の「表示中の画像」の値を画像情報ＩＤ'に設定する。画像情報ＩＤが「ＩＤ００３」の場合は、画像情報ＩＤ'は「ＩＤ００２」となる。Ｓ１５０３とＳ１５０４の手順から、画像情報ＩＤ'が撮影画面に表示されているときに、操作ＯＰ'によって再構成処理が指示されて再構成画面に遷移し、その後、操作ＯＰによって画像情報ＩＤの再構成パラメータが確定したと言える。すなわち、トモシンセシス画像情報ＩＤと画像情報ＩＤ'の間に依存関係が存在する。次に、Ｓ１５０６において、転送制御部３０５は、画像情報ＩＤ'を始点、画像情報ＩＤを終点とするリンクＬを生成する。
【００９２】
Ｓ１５０７以降の処理では、リンクＬに付加する説明文を求める。Ｓ１５０７において、転送制御部３０５は、画像情報ＩＤ'がトモシンセシス画像情報か否かを判断する。転送制御部３０５は、トモシンセシス画像情報の場合には（Ｓ１５０７でＹＥＳ）、処理をＳ１５０８へ進める。転送制御部３０５は、トモシンセシス画像情報でない場合、すなわち、撮影画面に投影画像が表示されている状態から再構成が指示されて、画像情報ＩＤが生成された場合には（Ｓ１５０７でＮＯ）、処理をＳ１５１０へ進める。
【００９３】
Ｓ１５０８において、転送制御部３０５は、検査情報保存部３０２から、画像情報ＩＤと画像情報ＩＤ'を生成した際に用いた再構成パラメータと編集処理のパラメータを読み出し、それらの変更点Ｃを抽出する。例えば、画像情報ＩＤが「ＩＤ００３」の場合は、図１４から、再構成フィルタが「Ｃｈｅｓｌｅｒ」に、選択フレームが「５−１５」に、それぞれ変更され、さらにオブリーク表示が行われたことが分かる。次に、Ｓ１５０９において、転送制御部３０５は、変更点ＣをリンクＬの説明文とする。一方、Ｓ１５１０においては、転送制御部３０５は、リンクＬの説明文を「再構成の実施」とする。
【００９４】
図１６は、リンクと説明文の抽出結果の一例を示す図である。カラム１６０１及びカラム１６０２は、それぞれリンクの始点及び終点を、カラム１６０３は、リンクの説明文を表す。図１６の情報は、図１０のＳ１００３において、転送制御部３０５により、図１３のリンク１３０１、リンク１３０３、リンク１３０５、説明文１３０２、説明文１３０４、説明文１３０６として、画像情報表示領域１３１１に表示される。なお、本実施形態に係るＸ線撮影システム１０１のこれ以外の構成及び処理は、第１の実施形態に係るＸ線撮影システム１０１の構成及び処理と同様である。
【００９５】
本実施例で説明した構成によって、利用者は、画像情報表示領域１３１１のリンクを参照して、遡及的に実施したトモシンセシス画像情報の依存関係を容易に把握することができる。また利用者は、リンクに付加された説明文を参照することによって、トモシンセシス画像情報を生成するために実施した操作の内容を容易に把握することができる。
【００９６】
（第３の実施形態）
次に、第３の実施形態に係るＸ線撮影システム１０１について説明する。第３の実施形態に係る制御部１１１は、転送内容のチェックルールを定義する機能と、該チェックルールを元に、実施中の検査に含まれる画像情報の転送選択結果のチェックを機械的に行う機能を有している。
【００９７】
図１７は、第３の実施形態に係る転送確認画面１７１０の一例を示す図である。転送確認画面１７１０は、検査情報表示領域９０２、画像情報表示領域９０３、転送データ概要表示領域９０４及びチェック結果表示領域１７０３が設けられている。転送確認画面１７１０にはまた、転送実行ボタン９０５、転送キャンセルボタン９０６、転送チェックボタン１７０１及びチェックルール参照ボタン１７０２が表示されている。以下、転送確認画面１７１０について、図９を参照しつつ説明した第１の実施形態に係る転送確認画面９０１と異なる点について説明する。
【００９８】
転送チェックボタン１７０１は、転送チェックの実行を指示するボタンである。ここで、転送チェックとは、転送内容が予め定められた転送条件を満たしているか否かを確認する処理である。転送チェックボタン１７０１が押下されると、転送内容のチェックが実行され、その結果が偽の場合（転送条件を満たしていない場合）は、チェック結果がチェック結果表示領域１７０３に表示される。チェックルール参照ボタン１７０２は、転送内容のチェックルールの表示を指示するボタンである。チェックルール参照ボタン１７０２が押下されると、転送制御部３０５は、チェックルール参照画面を表示する。なお、転送内容のチェック結果が真の場合（転送条件を満たしている場合）は、チェック結果表示領域１７０３に転送条件を満たす旨のチェック結果が表示されてもよい。
【００９９】
図１８は、チェックルール参照画面１８０１の一例を示す図である。チェックルール参照画面１８０１には、チェックルール表示領域１８０２が設けられている。チェックルール参照画面１８０１にはまた、チェックルール編集ボタン１８０３、チェックルール保存ボタン１８０４及びチェックルール表示キャンセルボタン１８０５が表示されている。チェックルール表示領域１８０２には、検査情報保存部３０２から読み出したチェックルールが表示される。
【０１００】
エントリ１８０６、エントリ１８０７及びエントリ１８０８は、それぞれ個別のチェックルールを表す。それぞれのエントリは、転送内容が満たすべき条件を、画像情報の転送選択結果や再構成パラメータを用いた関係式として、テキスト形式で表現する。チェックルール編集ボタン１８０３は、チェックルールの編集開始を指示するボタンである。チェックルール編集ボタン１８０３が押下されると、チェックルール表示領域１８０２が編集可能になり、転送制御部３０５は、ユーザ操作に応じて、チェックルール表示領域１８０２上のルールを追加又は変更することができる。
【０１０１】
チェックルール保存ボタン１８０４は、チェックルールの保存を指示するボタンである。チェックルール保存ボタン１８０４が押下されると、転送制御部３０５は、チェックルール表示領域１８０２に表示されているチェックルールの内容を、検査情報保存部３０２に保存する。チェックルール表示キャンセルボタン１８０５は、チェックルールの表示をキャンセルするボタンである。チェックルール表示キャンセルボタン１８０５が押下されると、転送制御部３０５は、画面表示をチェックルール参照画面１８０１から転送確認画面９０１に遷移させる。
【０１０２】
図１９は、転送制御部３０５による転送チェック処理を示すフローチャートである。Ｓ１９０１において、転送制御部３０５は、検査情報保存部３０２からチェックルールをＲＡＭ２０３に読み込む。次に、転送制御部３０５は、検査に含まれる一の画像情報を処理対象とし、チェックルールに含まれるすべてのエントリを処理対象として、Ｓ１９０２〜Ｓ１９０５の処理を行う。このループ処理を検査に含まれるすべての画像処理を処理対象として実行する。
【０１０３】
Ｓ１９０２において、転送制御部３０５は、エントリの条件に画像情報の項目が含まれるか否かを確認する。例えば、図１８のエントリ１８０６の条件には、画像情報の種別と転送選択が含まれている。この場合、転送制御部３０５は、エントリの条件に画像情報の項目が含まれていると判断する。一方、図１８のエントリ１８０７の条件には、画像情報に関する項目が含まれていない。この場合、転送制御部３０５は、エントリの条件に画像情報の項目が含まれていないと判断する。
【０１０４】
転送制御部３０５は、エントリの条件に画像情報が含まれていると判断した場合には（Ｓ１９０２でＹＥＳ）、処理をＳ１９０３へ進める。転送制御部３０５は、エントリの条件に画像情報が含まれていないと判断した場合には（Ｓ１９０２でＮＯ）、処理対象のエントリに対する処理を終了し、Ｓ１９０２へ戻り、未選択のエントリを選択する。なお、未選択のエントリがない場合には、処理対象の画像情報に対する処理を終了し、未選択の画像情報を選択する。
【０１０５】
Ｓ１９０３において、転送制御部３０５は、画像情報の項目を使ってエントリの条件の評価を行う。次に、Ｓ１９０４において、転送制御部３０５は、評価結果を確認する。例えば、図１７の画像情報ＩＤ００１の種別は「投影画像」であるが、転送選択は「ＯＦＦ」である。画像情報ＩＤ００１に対して、図１８のエントリ１８０６の条件「種別＝＝投影画像  ⇒  転送選択＝＝ＯＮ」を評価すると、前件「種別＝＝投影画像」が真、後件「転送選択＝＝ＯＮ」が偽であるため、エントリ１８０６の条件全体は偽となる。従って、この場合、転送制御部３０５は、評価結果は偽であると判定する。
【０１０６】
転送制御部３０５は、評価結果が偽である場合には（Ｓ１９０４でＮＯ）、処理をＳ１９０５へ進める。転送制御部３０５は、評価結果が真である場合には（Ｓ１９０４でＹＥＳ）、処理対象のエントリに対する処理を終了し、処理をＳ１９０２へ進め、未選択のエントリを選択する。なお、未選択のエントリがない場合には、転送制御部３０５は、処理対象の画像情報に対する処理を終了し、未選択の画像情報を選択する。Ｓ１９０５において、転送制御部３０５は、評価結果をチェック結果表示領域１７０３に表示する。
【０１０７】
次に、転送制御部３０５は、チェックルールに含まれるすべてのエントリを処理対象として、Ｓ１９０６〜Ｓ１９０９の処理を行う。Ｓ１９０６〜Ｓ１９０９の処理は、チェックルールに含まれる個々のエントリに対して、転送データ概要のチェックを行う処理である。Ｓ１９０６において、転送制御部３０５は、エントリの条件に転送データ概要の項目が含まれるか確認する。例えば、図１８のエントリ１８０６の条件には、転送データ概要に関する項目が含まれない。したがって、この場合、転送制御部３０５は、エントリの条件に転送データ概要の項目が含まれないと判断する。一方、図１８のエントリ１８０７の条件には、転送データ概要の合計サイズが含まれている。したがって、この場合には、転送制御部３０５は、エントリの条件に転送データ概要の項目が含まれていると判断する。
【０１０８】
転送制御部３０５は、エントリの条件に転送データ概要の項目が含まれる場合には（Ｓ１９０６でＹＥＳ）、処理をＳ１９０７へ進める。転送制御部３０５は、エントリの条件に転送データ概要の項目が含まれない場合には（Ｓ１９０６でＮＯ）、処理対象のエントリに対する処理を終了し、処理をＳ１９０６へ進め、未選択のエントリを選択する。なお、未選択のエントリがない場合には、転送制御部３０５は、処理対象の画像情報に対する処理を終了し、未処理の画像情報を選択する。
【０１０９】
Ｓ１９０７において、転送制御部３０５は、転送データ概要の項目を使ってエントリの条件の評価を行う。次に、Ｓ１９０８において、転送制御部３０５は、評価結果を確認する。例えば、図１７に示す例では、転送データ概要の合計サイズは「９０ＭＢ」である。画像情報ＩＤ００１に対して、図１８のエントリ１８０７の条件「転送データ．合計サイズ≦８０ＭＢ」を評価すると、偽となる。従って、この場合、転送制御部３０５は、評価結果が偽であると判断する。転送制御部３０５は、評価結果が真の場合には（Ｓ１９０８でＹＥＳ）、処理対象のエントリに対する処理を終了し、処理をＳ１９０６へ進め、未処理のエントリを選択する。転送制御部３０５は、評価結果が偽の場合には（Ｓ１９０８でＮＯ）、処理をＳ１９０９へ進める。Ｓ１９０９において、転送制御部３０５は、評価結果をチェック結果表示領域１７０３に表示する。なお、第３の実施形態に係るＸ線撮影システム１０１のこれ以外の構成及び処理は、他の実施形態に係るＸ線撮影システム１０１の構成及び処理と同様である。
【０１１０】
以上のように、本実施形態に係る制御部１１１は、画像情報の転送選択結果のチェックを機械的に行うことが可能になる。利用者は、チェックルール参照画面１８０１において、転送内容のチェックルールを定義することができる。そして利用者は、チェック結果表示領域１７０３に表示されるチェック結果を参照して、チェックルールと転送選択結果の整合性を容易に把握することができる。
【０１１１】
以上、上述した各実施形態によれば、転送画像データの選択誤りの発生を低減することができる。
【０１１２】
以上、本発明の好ましい実施形態について詳述したが、本発明は係る特定の実施形態に限定されるものではなく、特許請求の範囲に記載された本発明の要旨の範囲内において、種々の変形・変更が可能である。
【０１１３】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１１４】
１０１  Ｘ線撮影システム
１０７  Ｘ線撮影制御装置
１０９  表示部
１１１  制御部
【図１】
2018000605.tif 000003
【図２】
2018000605.tif 000004
【図３】
2018000605.tif 000005
【図４】
2018000605.tif 000006
【図５】
2018000605.tif 000007
【図６】
2018000605.tif 000008
【図７】
2018000605.tif 000009
【図８】
2018000605.tif 000010
【図９】
2018000605.tif 000011
【図１０】
2018000605.tif 000012
【図１１】
2018000605.tif 000013
【図１２】
2018000605.tif 000014
【図１３】
2018000605.tif 000015
【図１４】
2018000605.tif 000016
【図１５】
2018000605.tif 000017
【図１６】
2018000605.tif 000018
【図１７】
2018000605.tif 000019
【図１８】
2018000605.tif 000020
【図１９】
2018000605.tif 000021